(57)【要約】【課題】  プラスチックボトルにおいて、ボトルの設計仕様を損なうことなくデザイン性に優れた加飾が実現可能な溝を提案するとともに、また、当該溝を用いた加飾の構成を提案する。【解決手段】  二つの端点５α，５βを結ぶ線状溝５が表面に形成される、プラスチックボトル１とする。また、線状溝５は、断面略Ｖ字状であって、深さＨ：０．０５ｍｍ以上０．５ｍｍ以下、開口角度Ｋ：１００°以上１３０°以下、とする。また、線状溝５は、断面略Ｖ字状であって、曲率半径Ｒ：０．１ｍｍ以上０．５ｍｍ以下、とする。【選択図】図１
2019131280.tif 000002
【特許請求の範囲】
【請求項１】
二つの端点を結ぶ線状溝が表面に形成される、プラスチックボトル。
【請求項２】
前記線状溝は、断面略Ｖ字状であって、
深さＨ：０．０５ｍｍ以上０．５ｍｍ以下、
開口角度Ｋ：１００°以上１３０°以下、
とする、ことを特徴とする請求項１に記載のプラスチックボトル。
【請求項３】
前記線状溝は、断面略Ｖ字状であって、
曲率半径Ｒ：０．１ｍｍ以上０．５ｍｍ以下、
とする、ことを特徴とする請求項１又は請求項２に記載のプラスチックボトル。
【請求項４】
前記線状溝の長さは、０．４５ｍｍ以上２５ｍｍ以下、
とする、ことを特徴とする請求項１乃至請求項３のいずれか一項に記載のプラスチックボトル。
【請求項５】
前記線状溝は複数形成されるものであり、
複数の前記線状溝によって取り囲まれてなる閉領域が構成される、
ことを特徴とする請求項１乃至請求項４のいずれか一項に記載のプラスチックボトル。
【請求項６】
隣り合う前記閉領域において、前記線状溝が共有される部位を有する、
ことを特徴とする請求項５に記載のプラスチックボトル。
【請求項７】
前記各閉領域の内角の少なくとも一つは、鋭角とする、
ことを特徴とする請求項５又は請求項６に記載のプラスチックボトル。 
【発明の詳細な説明】
【技術分野】
【０００１】
本発明は、飲料等が充填されるプラスチックボトルの加飾に関する。特に炭酸飲料が充填されるボトルにおいて、内圧に起因するボトルの変形や加飾の変形、消失の防止のためにより好適に適用できる技術に関する。
【背景技術】
【０００２】
従来、プラスチックボトルの肉薄化に起因して、強度が低下したり、滑り易くなることは知られており、この対策として、例えば、特許文献１では、水平方向に連続する全周の環状溝を設けるほかに、ジグザグ溝などといった特殊な形状の溝を施すことについて開示している。
【０００３】
このような従来の環状溝や、環状溝以外の溝（例えばジグザグ溝）は、その溝幅が広く構成されることにより、その溝に入り込んだ感覚を覚えさせることや、また、溝の内側との指の接触面積が広いことによって、滑り難くなる効果が期待できるものである。つまり、これらの所謂「幅広溝」は、単独で滑り止め設計仕様を発揮できるものである。
【先行技術文献】
【特許文献】
【０００４】
【特許文献１】特開２０１７−１１４５４４号公報
【発明の概要】
【発明が解決しようとする課題】
【０００５】
ところで、ボトルの表面に凹凸により加飾を施す場合において、ボトルの表面積は限られるものである。このため、上述した「幅広溝」を用いるとそのデザイン性の自由度が狭いものとなる。
【０００６】
また、炭酸飲料が充填される場合を想定すると、溝の幅が広くなると溝の内側の面積が広くなり、内圧による表面の膨張を増長するため、溝が変形、又は、消失する、つまりは、凹んでいた溝部分が外側に押出されて溝を形成しなくってしまうとともにボトル全体の膨張を増長することを見出した。仮に、溝形状を維持しようとする場合には溝を深くすることも考えられるが、環状溝は深く構成できるとしても、ジグザグ溝のような複雑な形状において溝を深く施すことは成形性が難しいといえる。また、この場合においても内圧による表面の膨張を増長するため、ボトル全体が膨張することによりボトルの胴径や全高等の全体形状の設計仕様を満たすことが難しくなる。
【０００７】
以上のことから明らかなように、「幅広溝」ではデザイン性に制限があり、また、溝形状を維持するのが難しいということを見出した。
【０００８】
そこで、本願発明は、プラスチックボトルにおいて、ボトルの設計仕様を損なうことなくデザイン性に優れた加飾が実現可能な溝を提案するとともに、また、当該溝を用いた加飾の構成を提案するものである。
【課題を解決するための手段】
【０００９】
本発明の解決しようとする課題は以上の如くであり、次にこの課題を解決するための手段を説明する。
【００１０】
即ち、本願発明は、
二つの端点を結ぶ線状溝が表面に形成される、プラスチックボトルとする。
【００１１】
また、好ましくは、
前記線状溝は、断面略Ｖ字状であって、
深さＨ：０．０５ｍｍ以上０．５ｍｍ以下、
開口角度Ｋ：１００°以上１３０°以下、とする。
【００１２】
また、好ましくは、
前記線状溝は、断面略Ｖ字状であって、
曲率半径Ｒ：０．１ｍｍ以上０．５ｍｍ以下、とする。
【００１３】
また、好ましくは、
前記線状溝の長さは、０．４５ｍｍ以上２５ｍｍ以下、とする。
【００１４】
また、好ましくは、
前記線状溝は複数形成されるものであり、
複数の前記線状溝によって取り囲まれてなる閉領域が構成される。
【００１５】
また、好ましくは、
隣り合う前記閉領域において、前記線状溝が共有される部位を有する。
【００１６】
また、好ましくは、
前記各閉領域の内角の少なくとも一つは、鋭角とする。
【発明の効果】
【００１７】
本発明の構成によれば、プラスチックボトルにおいて、デザイン性に優れた加飾が実現可能となる。
【図面の簡単な説明】
【００１８】
【図１】本発明の一実施形態に係るプラスチックボトルの全体図である。
【図２】図１の加飾部の拡大図である。
【図３】（Ａ）は図２の範囲Ｚ１の内側の部分拡大図である。（Ｂ）は図２の範囲Ｚ２の内側の部分拡大図である。
【図４】図３（Ｂ）のＸ−Ｘ線の断面部分に対応する輪郭について説明する図である。
【図５】線状溝の略Ｖ字状の断面について説明する図である。
【発明を実施するための形態】
【００１９】
図１は、本願発明の一実施形態に係るプラスチックボトルの全体側面図である。
プラスチックボトル１は、
円筒状の口部１０と、
口部１０と連続する肩部２０と、
肩部２０と連続する胴部３０と、
胴部３０と連続する底部４０と、を順に有してなる。
【００２０】
また、底部４０には、口部１０を上に向けてプラスチックボトル１を水平面に置いたときに、水平面に接触する底面４２が形成される。
【００２１】
なお、本実施例のプラスチックボトル１は、円筒形状の所謂丸型ボトルで構成されるものであり、主に、高い内圧を呈する炭酸飲料を充填するボトルに好適に適用できるものであるが、水平断面が矩形の所謂角型ボトルについても本発明を実施することができる。なお、充填物については、炭酸飲料の他、コーヒー、紅茶、日本茶、水など、炭酸を含まない飲料も当然想定される。
【００２２】
また、肩部２０、胴部３０、及び、底部４０には、表面に線状溝５，５の加飾を施してなる加飾部５０，５０が構成される。図２は、肩部２０から胴部３０にかけて施される加飾部５０を展開した図であり、各線状溝５は、二つの端点５α，５βを結んでなる連続溝にて構成される。
【００２３】
図３（Ａ）（図２の範囲Ｚ１）に示すように、例えば、線状溝５Ａは、端点５Ａα，５Ａβを結んでなるものである。また、線状溝５Ｂは、端点５Ｂα，５Ｂβを結んでなるものである。
【００２４】
ここで、二つの線状溝５Ａ，５Ｂは、端点５Ａβ，５Ｂαにおいて交わる。このように、線状溝５Ａ，５Ｂの端点５Ａβ，５Ｂαが交わる点を、端点交点６として定義する。
【００２５】
また、線状溝５Ｂにおいて、端点５Ｂβは、他の線状溝と交わらず、このような端点を自由端点７として定義する。また、線状溝５Ｂのように一つの端点が自由端点７である線状溝は、自由端点線状溝として定義される。
【００２６】
また、端点５Ｃα，５Ｃβを結んでなる線状溝５Ｃと、端点５Ｄα，５Ｄβを結んでなる線状溝５Ｄは、線状溝５Ｄの端点５Ｄαにおいて線状溝５Ｃと交わっている。このように、他の線状溝５Ｃの端点以外の部分において、他の線状溝５Ｄが交わる点を、中途交点８として定義する。
【００２７】
さらに、線状溝は以下のようにしても定義される。
【００２８】
第一形態線状溝：二つの端点交点６を結んで構成されるもの（例：線状溝５Ａ）
【００２９】
第二形態線状溝：二つの端点交点６を結んで構成されるものであって、二つの端点交点６の間に中途交点８を有するもの（例：線状溝５Ｃ）
【００３０】
第三形態線状溝：一つの端点交点６と自由端点７とを結んで構成されるもの（例：線状溝５Ｂ）
【００３１】
第四形態線状溝：一つの中途交点８と自由端点７とを結んで構成されるもの（例：線状溝５Ｅ）
【００３２】
なお、以上の第一〜第四形態線状溝は、全て、直線状、或いは、円弧状である。即ち、屈折部をなす折れ線状のものは含まないものとする。
【００３３】
また、本実施例では、第一〜第四形態線状溝の全ての形態を含むものとしたが、一部の形態のみを単独で含む、或いは、いくつかの形態を組み合わせて含むものとしてもよい。
【００３４】
また、図３（Ｂ）（図２の範囲Ｚ２）に示すように、３つの線状溝５１，５２，５３により略三角形状の閉領域Ｒ１が形成される。同様に、３つの線状溝５３，５４，５５により略三角形状の閉領域Ｒ２が形成される。ここで、線状溝５３は、閉領域Ｒ１，Ｒ２によって共有されていると定義する。
【００３５】
同様に、４つの線状溝５２，５６，５７，５８により略四角形状の閉領域Ｒ３が形成される。ここで、線状溝５２は、閉領域Ｒ１，Ｒ３によって共有されていると定義する。
【００３６】
以上のようような略三角形状の閉領域Ｒ１や略四角形状の閉領域Ｒ３の他にも、略五角形状の閉領域Ｒ４も構成されるものであり、線状溝によって様々な形状の多角形を構成することができる。
【００３７】
また、本実施例においては、線状溝が共有されることにより、閉領域Ｒ１〜Ｒ４が隣接して配置される加飾が実現可能となっているが、線状溝５を共有させずに、閉領域Ｒ１〜Ｒ４同士が離れた関係にあることとしてもよい。
【００３８】
また、図１に示すように、円筒状のプラスチックボトル１で構成される場合において、図３（Ｂ）に示される各閉領域Ｒ１〜Ｒ４は、プラスチックボトルの中心軸Ｃ（図１参照）を中心とする水平方向の円が通過する面である。即ち、プラスチックボトル１の長手方向の中心軸Ｃと直交する断面で切断した場合において、図４に示すように、当該断面の輪郭Ｑが円を構成するものである（線状溝の断面部分を除く）。この輪郭Ｑは、図３（Ｂ）のＸ−Ｘ線の断面部分に対応するものである。
【００３９】
即ち、図３（Ｂ）に示される各閉領域Ｒ１〜Ｒ４は、プラスチックボトル１の外観において、各閉領域が単独で、或いは、各閉領域同士の組合せにより凹部分（窪んだ面、又は、窪んだ部位）を構成しないものである。なお、本実施例では、図１の加飾部５０の全てにおいて、凹部分を構成しないこととしたが、一部の部位において、凹部分が構成されるものとしてもよい。
【００４０】
このように、各閉領域Ｒ１〜Ｒ４は、凹部分（窪んだ面、又は、窪んだ部位）を構成しないものであることとすることによって、各閉領域Ｒ１〜Ｒ４が内圧によって内側から押圧されたとしても、その閉領域を維持できることになる。つまり、そもそも窪んでいないため、窪みがなくなるという事象が発生することがない。この点は、複数の面を組み合わせて窪ませて凹凸の加飾を施す構成（例えば、三角推形状の凹部）とは異なるものである。つまり、例えば、三角推形状の凹部を有するものでは、内圧により当該三角推形状部分が押出されることによって凹部が消えてしまうことも懸念されるが、本実施例によれば、同様の事象は生じない。
【００４１】
図５は、線状溝５の断面形状を示すものである。
この線状溝５の断面形状は、以下にて定義される。
容器表面Ｓから最大深さの距離は深さＨで定義される。
深さＨにある部位は溝底Ｂで定義される。
容器表面Ｓでの線状溝５の開口幅は溝幅Ｗで定義される。
溝底Ｂと容器表面Ｓを結ぶ面は溝表面Ｍで定義される。
溝底Ｂで交差する溝表面Ｍ同士がなす角度は開口角度Ｋで定義される。
溝底Ｂの断面形状は曲率半径Ｒで定義される。
【００４２】
以上の構成により、線状溝５は断面略Ｖ字状の溝として構成されることができ、溝の断面形状を定義する数値は以下の範囲とされる。
【００４３】
深さＨ：０．０５ｍｍ以上０．５ｍｍ以下
溝幅Ｗ：０．１１９ｍｍ以上２．１４４ｍｍ
開口角度Ｋ：１００°以上１３０°以下
曲率半径Ｒ：０．１ｍｍ以上０．５ｍｍ以下
【００４４】
さらに、図３（Ａ）に示すように、二つの端点５α，５βを結ぶ線状溝５の長さ（例えば、長さＬ１、Ｌ２）は、０．４５ｍｍ以上２５ｍｍ以下とされる。
【００４５】
以上のようにして本発明を実施することができる。
即ち、図１乃至図５に示すように、二つの端点５α，５βを結ぶ線状溝５が表面に形成される、プラスチックボトル１とするものである。
【００４６】
これにより、デザイン性に優れた加飾が実現可能となる。
【００４７】
また、図５に示すように、
線状溝５は、断面略Ｖ字状であって、
深さＨ：０．０５ｍｍ以上０．５ｍｍ以下、
開口角度Ｋ：１００°以上１３０°以下、
とするものである。
【００４８】
これにより、溝底Ｂと容器表面Ｓを結ぶ面である溝表面Ｍの面積が小さく、断面略Ｖ字状の溝を構成することができる。そして、溝表面Ｍの面積を小さくすることで、内圧による表面の膨張を抑制することができ、内側から線状溝５が押出されて溝が浅くなることや、溝がなくなってしまうこと、またボトル全体の膨張を防ぐことができる。即ち、略Ｖ字の断面形状を維持することができ、くっきりと視認できるように線状溝５を残すことができ、所望の装飾を確保するとともにボトルの設計仕様を維持することが可能となる。
【００４９】
また、図５に示すように、
線状溝５は、断面略Ｖ字状であって、
曲率半径Ｒ：０．１ｍｍ以上０．５ｍｍ以下、
とするものである。
【００５０】
これにより、溝底Ｂが先端（溝底Ｂ）の尖った略Ｖ字の溝を構成することができ、くっきりと視認できるように線状溝５を現すことができる。
【００５１】
また、図３（Ａ）に示すように、
線状溝５の長さは、０．４５ｍｍ以上２５ｍｍ以下、
とするものである。
【００５２】
これにより、高い内圧を受けた場合であっても、略Ｖ字の断面を維持することが可能な線状溝５を実現することができる。
【００５３】
また、図３（Ｂ）に示すように、
線状溝５は複数形成されるものであり、
複数の線状溝５によって取り囲まれてなる閉領域Ｒ１〜Ｒ４が構成される、
こととするものである。
【００５４】
このような閉領域Ｒ１〜Ｒ４において、例えば三角形、四角形、五角形などといった多角形の加飾を施すことができる。そして、例えば、炭酸飲料を内容物とする場合においては、ボトルの表面に氷を砕いたようなデザインを施すことができ、炭酸のイメージに合致した刺激的で爽快な外観を実現することができる。なお、ここで重要な点は、各閉領域Ｒ１〜Ｒ４は、プラスチックボトル１の外観において、各閉領域が単独で、或いは、各閉領域同士の組合せにより凹部分（窪んだ面、又は、窪んだ部位）を構成しないということであって、これにより、凹部分が消えてしまうという事象が生じないということである。換言すれば、閉領域Ｒ１〜Ｒ４において内圧を受けたとしても、閉領域Ｒ１〜Ｒ４のデザインを維持し続けることができるということである。
【００５５】
また、図３（Ｂ）に示すように、
隣り合う閉領域Ｒ１〜Ｒ４において、線状溝５が共有される部位を有する、
こととするものである。
【００５６】
これにより、隣り合う閉領域Ｒ１〜Ｒ４を隣接して配置する加飾を構成することができる。
【００５７】
また、図３（Ｂ）に示すように、
各閉領域Ｒ１〜Ｒ４の内角Ｎの少なくとも一つは、鋭角とする、
こととするものである。
【００５８】
これにより、先端の尖った閉領域Ｒ１〜Ｒ４を実現することができ、シャープな印象を与えるデザインを実現することができる。
【符号の説明】
【００５９】
１    プラスチックボトル
５    線状溝
５α，５β    端点
６    端点交点
７    自由端点
８    中途交点
１０    口部
２０    肩部
３０    胴部
４０    底部
５０    加飾部
Ｂ    溝底
Ｃ    中心軸
Ｋ    開口角度
Ｍ    溝表面
Ｐ    内圧
Ｒ    曲率半径
Ｒ１    閉領域
Ｒ２    閉領域
Ｒ３    閉領域
Ｒ４    閉領域
Ｓ    容器表面
Ｗ    溝幅
【図１】
2019131280.tif 000003
【図２】
2019131280.tif 000004
【図３】
2019131280.tif 000005
【図４】
2019131280.tif 000006
【図５】
2019131280.tif 000007